(57)【要約】【課題】容易に色だけを変更でき、染毛剤を適用した後の実際のイメージを容易に予測できる染毛色確認用鏡を提供すること。【解決手段】本発明の一実施形態である染毛色確認用鏡１Ａは、頭部を映す鏡部２と、鏡部２の鏡面の前側に配される色見本３とを有している。色見本３は鏡部２から着脱可能に形成されている。色見本３には、頭髪の染毛したい部分に有色の着色部３１が設けられている。また、本発明の染毛剤の選択方法は、頭髪の染毛したい部分に着色された着色部３１を有する色見本３を透して、鏡部２に着色部３１により染毛された頭髪の顔を映して染毛色を確認し、所望の染毛色とするための染毛剤を選択する。【選択図】図１
2014113196.tif 000002
【特許請求の範囲】
【請求項１】
頭部を映す鏡部と、該鏡部の鏡面の前側に配される色見本とを有し、
前記色見本は前記鏡部から着脱可能に形成されており、
前記色見本には、頭髪の染毛したい部分に有色の着色部が設けられている染毛色確認用鏡。
【請求項２】
前記色見本は、保持部により保持されており、該保持部と前記鏡部とは、ヒンジ部を介して連結しており、該ヒンジ部を支点に開閉可能に形成されている請求項１に記載の染毛色確認用鏡。
【請求項３】
前記染毛色確認用鏡は、胸部を映す第２鏡部を有し、
前記鏡部と前記第２鏡部とは、ヒンジ部を介して連結しており、該ヒンジ部を支点に開閉可能に形成されている請求項１又は２に記載の染毛色確認用鏡。
【請求項４】
前記保持部は、前記鏡部と前記第２鏡部との間に、前記ヒンジ部を介して連結している請求項２又は３に記載の染毛色確認用鏡。
【請求項５】
前記染毛色確認用鏡は、該染毛色確認用鏡の外周縁に配された顔を照らす光源を有している請求項１〜４の何れか１項に記載の染毛色確認用鏡。
【請求項６】
頭髪の染毛したい部分に着色された着色部を有する色見本を透して、鏡部に前記着色部により染毛された頭髪の顔を映して染毛色を確認する染毛色確認用鏡の使用方法。
【請求項７】
頭髪の染毛したい部分に着色された着色部を有する色見本を透して、鏡部に前記着色部により染毛された頭髪の顔を映して染毛色を確認し、所望の染毛色にするための染毛剤の選択方法。
【発明の詳細な説明】
【技術分野】
【０００１】
本発明は、頭髪の染毛色を確認できる染毛色確認用鏡に関する。
【背景技術】
【０００２】
白髪を目立たなくするため、あるいは髪色を楽しむ等のファッションの手段として頭髪を所望の色に変えるため、染毛剤が使用されている。
【０００３】
染毛剤の個々の製品の色は、製品の包装箱等へ印刷された色見本、又は商品の陳列棚付近に備え付けられた、当該染毛剤の色に着色された髪のトレースに表示されている。そこで、需要者はこのような表示に基づいて、所望の染毛色を実現するための染毛剤を選択している。しかしながら、染毛前の毛髪は各個人で異なる色を有しているため、包装箱の印刷見本や色見本トレースで表示された色と、染毛後の出来上がりでは、需要者ごとに見本とは異なる色になってしまう。
【０００４】
本出願人は、先に、鏡と、その鏡面上の一部に形成されている、透明着色接着層と、該透明着色接着層上に形成されている透明カバーフィルムとからなる着色鏡を提案した（特許文献１参照）。
【先行技術文献】
【特許文献】
【０００５】
【特許文献１】特開２００２−１７５３１号公報
【発明の概要】
【発明が解決しようとする課題】
【０００６】
特許文献１に記載の着色鏡によれば、染毛剤、口紅等の着色化粧料を適用した後の実際の頭髪あるいは皮膚の色を容易に予測でき、所望の色を得るための染毛剤を容易に選択することが可能となる。
しかし、特許文献１に記載の着色鏡は、肌の大部分までも着色後の色となった像を映してしまう。そのため、染毛剤を適用した後の実際のイメージを、更に容易に予測したいとのニーズがあった。また、特許文献１に記載の着色鏡は、着色が、鏡の鏡面上に直接塗布された接着剤の層により形成されている。そのため、容易に色だけを変更したいとのニーズがあった。
【課題を解決するための手段】
【０００７】
本発明は、頭部を映す鏡部と、該鏡部の鏡面の前側に配される色見本とを有し、前記色見本は前記鏡部から着脱可能に形成されており、前記色見本には、頭髪の染毛したい部分に有色の着色部が設けられている染毛色確認用鏡を提供するものである。
【０００８】
また、本発明は、頭髪の染毛したい部分に着色された着色部を有する色見本を透して、鏡部に前記着色部により染毛された頭髪の顔を映して染毛色を確認する染毛色確認用鏡の使用方法を提供するものである。
【０００９】
また、本発明は、頭髪の染毛したい部分に着色された着色部を有する色見本を透して、鏡部に前記着色部により染毛された頭髪の顔を映して染毛色を確認し、所望の染毛色にするための染毛剤の選択方法を提供するものである。
【発明の効果】
【００１０】
本発明の染毛色確認用鏡によれば、容易に毛髪色だけを変更でき、肌色にあった染毛剤を選択し、染毛剤を適用した後の実際のイメージを容易に予測できる。
また、本発明の染毛色剤の選択方法によれば、染毛剤を適用した後の実際のイメージを予測した上で、所望の染毛色の頭髪にする染毛剤を選択できる。
【図面の簡単な説明】
【００１１】
【図１】図１は、本発明の第１実施形態の染毛色確認用鏡を開いた状態を正面から視た平面図である。
【図２】図２は、本発明の第１実施形態の染毛色確認用鏡を示す斜視図である。
【図３】図３（ａ）は第１実施形態の染毛色確認用鏡に用いる色見本の例を示す平面図であり、図３（ｂ）は第１実施形態の染毛色確認用鏡に用いる別の色見本の例を示す平面図である。
【図４】図４は、予め形成した色見本の束を示す図である。
【図５】図５は、図２に示す染毛色確認用鏡に色見本を取り付ける際の説明図である。
【図６】図６は、二つ折り状態に折り畳んだ染毛色確認用鏡を示す斜視図である。
【図７】図７（ａ）は図３（ａ）に示す色見本を用いた際の染毛色確認用鏡に染められた頭髪を映した状態の図であり、図７（ｂ）は図３（ｂ）に示す色見本を用いた際の染毛色確認用鏡に染められた頭髪を映した状態の図である。
【図８】図８は、本発明の第２実施形態の染毛色確認用鏡を示す斜視図である。
【図９】図９は、本発明の第３実施形態の染毛色確認用鏡を示す斜視図である。
【図１０】図１０は、本発明の第４実施形態の染毛色確認用鏡を示す斜視図である。
【図１１】図１１は、本発明の第５実施形態の染毛色確認用鏡を示す斜視図である。
【発明を実施するための形態】
【００１２】
以下、本発明の染毛色確認用鏡を、その好ましい第１実施形態に基づき、図１〜図７を参照しながら説明する。
第１実施形態の染毛色確認用鏡１Ａ（以下、単に「染毛色確認用鏡１Ａ」ともいう。）は、図１に示すように、頭部を映す鏡部２と、鏡部２の鏡面の前側に配される色見本３とを有し、色見本３は鏡部２から着脱可能に形成されている。ここで、「前側」とは、染毛色確認用鏡１Ａの使用者に近い側のことを意味する。以下、具体的に、染毛色確認用鏡１Ａについて説明する。説明にあたり、図１に示すように、鏡部２の長手方向をＹ方向として、鏡部２のＹ方向に直交する方向、即ち鏡部２の幅方向をＸ方向とする。
【００１３】
染毛色確認用鏡１Ａの鏡部２は、各図中に示すＹ方向に長い縦長の矩形状を有している。鏡部２の形状に関しては、特に制限されず、例えば、図１に示すような矩形状の他、頭部を映すことができれば、楕円形、円形、菱形、三角形等の任意の形状であってもよい。
【００１４】
鏡部２は、平面形状であり、一般的なガラス製鏡の他、樹脂製の板の表面にガラス製の鏡や鏡面メッキ膜が形成された樹脂板、或いは鏡面仕上げした金属板等を用いることができる。また、鏡部２は、頭部を拡大又は縮小して映すように、凸面形状であってもよい。凸面である場合には、焦点距離４０ｍｍ以上５００ｍｍ以下の凸面形状であることが好ましい。なお、焦点距離は鏡のＹ方向の大きさに応じて適宜選定すればよい。上述した凸面形状の焦点距離ｆ（ｍｍ）は、後述する式（１）に、映す対象と鏡との距離ａ（ｍｍ）、像と鏡との距離ｂ（ｍｍ）、焦点距離ｆ（ｍｍ）、鏡のＹ方向の長さ：ｈ１（ｍｍ）、映す部位のＹ方向の長さ：ｈ２（ｍｍ）とするとき、比Ｈ（ｈ１（ｍｍ）／ｈ２（ｍｍ））を代入し、ｆについて解くことによって得られる。
（２−２Ｈ）ｆ2＋（３ａ−３ａＨ）ｆ−ａ2Ｈ＝０・・・式（１）
上記式（１）は、次の結像公式と、比Ｈとの２式の連立方程式から得られる方程式である。
結像公式：１／ａ−１／ｂ＝−１／ｆ
比Ｈ：（ｈ１／ｈ２）＝（２ｆ＋ｂ）／（２ｆ＋ａ）
【００１５】
染毛色確認用鏡１Ａの鏡部２は、Ｙ方向の上端部のＸ方向中央部に、外方に凸の摘み部２１を有している。摘み部２１は、後述するように、二つ折り状態に閉じられた染毛色確認用鏡１Ａを開く際等に使用される突起部となる。
【００１６】
染毛色確認用鏡１Ａの色見本３は、図１に示すように、Ｙ方向の長さ及びＸ方向の長さが、後述する保持部３０の有する平板３０ａ，３０ｂよりも若干小さい、Ｙ方向に長い矩形状を有している。色見本３の形状に関しては、特に制限されず、鏡部２（平板３０ａ，３０ｂ）の形状に対応して、楕円形、円形、菱形、三角形等の任意の形状であってもよい。
【００１７】
色見本３には、頭髪の染毛したい部分に有色の着色部３１が設けられている。色見本３は、樹脂製フィルム又は板状物から形成されていることが好ましく、複数枚以上を重ねて使用することも可能である。該フィルムの厚みは、取り付け等の使用性を考慮して、０．３ｍｍ以上１．０ｍｍ以下であることが好ましい。また、頭髪色とメッシュ色で異なる色としたいなど、複数枚を重ねて使用する際には、全体を重ねた厚さであっても上記と同等の厚さ、０．３ｍｍ以上１ｍｍ程度以下であることが好ましい。
【００１８】
色見本３の着色部３１は、例えば図３（ａ）に示すように、人体の頭部における首及び顔を除く、首及び顔よりも外側領域に形成されている。図３（ａ）に示す着色部３１は、有色で透明となっている。尚、色見本３における首及び顔に対応する領域は、無色透明となっている。有色で透明な着色部３１と無色透明な部分と有する色見本３は、異色又は同色の材質の異なる部材を一体的に成形する２色成形法を用いて形成することができる。また、前記透明な合成樹脂や透明なガラスに、有色で不透明なメッシュ形状を、印刷を施すことにより形成できる。前記材質としては、透明な合成樹脂や透明なガラスが挙げられる。前記合成樹脂としては、ポリエチレンテレフタレート（ＰＥＴ）、ポリエチレンテレフタレートとシクロヘキサンジメタノールとの共重合体（ＰＥＴＧ）、ポリシクロヘキシレンジメチレンテレフタレートとイソフタル酸との共重合体（ＰＣＴＡ）、アクリルニトリル・ブタジエン・スチレン共重合体（ＡＢＳ）等が挙げられる。
【００１９】
また、図３（ｂ）は、色見本３の着色部３１は、頭髪のメッシュを入れたい部分にのみ、有色で不透明な好ましいメッシュ形状に形成されている。有色で不透明な着色部３１とその他の部分と有する色見本３は、上述した２色成形法や印刷を施すことにより形成できる。尚、図３（ｂ）に示すメッシュ形状の着色部３１は有色で不透明に形成されているが、有色で透明に形成されていてもよい。
【００２０】
着色部３１は、染毛剤の色の種類に応じて、例えば、黒色、茶色、黄金色、ピンク色、アッシュ色等の互いに異なる色に形成できる。例えば図３（ａ），（ｂ）に示すような色見本３を、それぞれ、好ましい互いに異なる色に形成した色見本３を、図４に示すように、予め、複数個、用意しておくことが好ましい。
【００２１】
色見本３は、図１に示すように、保持部３０により保持されている。保持部３０と鏡部２とは、ヒンジ部４を介して連結しており、ヒンジ部４を支点に開閉可能に形成されている。保持部３０は、図２に示すように、２枚の平板３０ａ，３０ｂを有している。２枚の平板３０ａ，３０ｂは、同一形状で同一の大きさであり、それぞれ、Ｙ方向の長さ及びＸ方向の長さが、鏡部２よりも若干小さい、Ｙ方向に長い矩形状を有している。２枚の平板３０ａ，３０ｂの形状は、特に制限されず、例えば、図２に示すような矩形状の他、鏡部２の形状に対応して、楕円形、円形、菱形、三角形等の任意の形状であってもよい。
【００２２】
２枚の平板３０ａ，３０ｂは、無色透明の樹脂板から形成されている。樹脂板の厚みは、操作性の観点から、０．８ｍｍ以上２ｍｍ以下であることが好ましい。
【００２３】
染毛色確認用鏡１Ａのヒンジ部４は、保持部３０と鏡部２とを連結する第１ヒンジ部４１と、鏡部２と後述する胸部用の鏡部５（第２鏡部）とを連結する第２ヒンジ部４２とを有している。尚、図２では、ヒンジ部４は第１ヒンジ部４１及び第２ヒンジ部４２の２つのヒンジ部を有しているが、１個のヒンジ部で、保持部３０、鏡部２、及び後述する鏡部５を連結していてもよい。
【００２４】
２枚の平板３０ａ，３０ｂは、図２に示すように、鏡部２のＹ方向の下端部におけるＸ方向の両内側部に、第１ヒンジ部４１を介して連結されている。２枚の平板３０ａ，３０ｂは、それぞれ独立して、第１ヒンジ部４１を支点に、鏡部２に重なって閉じると共に、鏡部２から所望の角度で開くことができるようになっている。
【００２５】
染毛色確認用鏡１Ａは、図５に示すように、２枚の平板３０ａ，３０ｂを、第１ヒンジ部４１を支点に、鏡部２から所望の角度で開き、２枚の平板３０ａ，３０ｂの間に、色見本３を挿入して、２枚の平板３０ａ，３０ｂの間に色見本３を挟持して使用することができる。また、異なる色の着色部３１を有する色見本３を試す場合には、第１ヒンジ部４１を支点に、２枚の平板３０ａ，３０ｂを開き、２枚の平板３０ａ，３０ｂの間から、前の色見本３を抜き出した後、２枚の平板３０ａ，３０ｂの間に、別の色見本３を挿入して、２枚の平板３０ａ，３０ｂの間に別の色見本３を挟持して使用することができる。このように、染毛色確認用鏡１Ａは、色見本３が、鏡部２から着脱可能に形成されている。
【００２６】
また、染毛色確認用鏡１Ａは、図１に示すように、第２鏡部として胸部を映す胸部用の鏡部５を有している。具体的に説明すると、鏡部５は、染毛色確認用鏡１Ａにおいては、図２に示すように、Ｙ方向の長さ及びＸ方向の長さが、鏡部２よりも若干大きい、Ｙ方向に長い矩形状を有している。鏡部５の形状に関しては、特に制限されず、例えば、図２に示すような矩形状の他、鏡部５の形状に対応して、楕円形、円形、菱形、三角形等の任意の形状であってもよい。また、鏡部５は鏡を有しない樹脂板等の形態であってもよい。
【００２７】
胸部用の鏡部５は、鏡部２と同様に平面形状または凸面形状であり、一般的なガラス製鏡、鏡面処理された樹脂板や金属板等を用いることができる。また、頭部から胸部、または頭部から腰部のように広い範囲を映す場合には、例えば、焦点距離１０ｍｍ以上４０ｍｍ以下の凸面形状であることが好ましい。更に、ガラス処理されていない樹脂であってもかまわない。鏡部５の凸面形状の焦点距離ｆ（ｍｍ）は、鏡部２と同様に、上述した式（１）に、映す対象と鏡との距離ａ（ｍｍ）、比Ｈ（ｈ１（ｍｍ）／ｈ２（ｍｍ））を代入することによって得られる。
【００２８】
鏡部２と鏡部５とは、上述した第２ヒンジ部４２を介して着脱不能に連結しており、第２ヒンジ部４２を支点に開閉可能に形成されている。具体的に説明すると、鏡部５とは、染毛色確認用鏡１Ａにおいては、図２に示すように、鏡部２のＹ方向の下端部におけるＸ方向の両外側部に、第２ヒンジ部４２を介して連結されている。このように、染毛色確認用鏡１Ａの第２ヒンジ部４２は、第１ヒンジ部４１よりもＸ方向外方に配されている。
【００２９】
染毛色確認用鏡１Ａの鏡部５は、図２に示すように、外周縁部に、底部から立設する樹脂製或いは金属製の枠体５１を有している。鏡部５の枠体５１は、染毛色確認用鏡１Ａにおいては、図２に示すように、第２ヒンジ部４２とは反対側の下端部のＸ方向中央部に、鏡部２の摘み部２１が嵌合する、厚み方向の下方に凹んだ凹部５２を有している。
【００３０】
以上のように構成されているので、染毛色確認用鏡１Ａにおいては、図５に示すように、胸部用の鏡部５を、第２ヒンジ部４２を支点に、鏡部２から所望の角度で開くことができるようになっている。また、染毛色確認用鏡１Ａにおいては、２枚の平板３０ａ，３０ｂからなる保持部３０が、鏡部２と鏡部５との間に、ヒンジ部４を介して連結されている。そのため、図６に示すように、第１ヒンジ部４１を支点に、鏡部２に２枚の平板３０ａ，３０ｂを重ねて閉じた後、更に、第２ヒンジ部４２を支点に、鏡部５の枠体５１内に、平板３０ａ，３０ｂ及び鏡部２を収納して、二つ折り状態に折り畳んでコンパクトに閉じることができる。二つ折り状態に折り畳んだ際には、鏡部２の摘み部２１を鏡部５の凹部５２に嵌合させて、染毛色確認用鏡１を二つ折りに折り畳んだ状態に保持することができる。
【００３１】
折り畳んだ状態の染毛色確認用鏡１Ａは、携帯性に優れる観点から、Ｙ方向の長さが１００ｍｍ以上２００ｍｍ以下程度の大きさであり、Ｘ方向の長さが７０ｍｍ以上１４０ｍｍ以下程度の大きさである。また、折り畳んだ状態の染毛色確認用鏡１Ａは、同様の観点から、その厚みが５ｍｍ以上１５ｍｍ以下程度のものである。
【００３２】
本発明の染毛色確認用鏡１Ａを使用すれば、頭髪の染毛したい部分に着色された着色部３１を有する色見本３を透して、鏡部２に着色部３１により染毛された頭髪の顔を映して染毛色を確認し、所望の染毛色にするための染毛剤を選択することができる。以下、具体的に、染毛色確認用鏡１Ａの使用方法及び作用効果について説明する。
【００３３】
先ず、図４に示すような複数の色見本３の束の中から１枚の色見本３（例えば図３（ａ）に示す色見本３）を選出する。次に、図５に示すように、胸部用の鏡部５を、第２ヒンジ部４２を支点に鏡部２から開く。次に、２枚の平板３０ａ，３０ｂを、第１ヒンジ部４１を支点に、鏡部２から所望の角度で開き、２枚の平板３０ａ，３０ｂの間に選出した色見本３を挿入して、２枚の平板３０ａ，３０ｂの間に色見本３を挟持させて、鏡を準備する。
【００３４】
使用者は、図７（ａ）に示すように、自ら選出した色見本の着色部３１と、頭髪位置を合わせるようにして、色見本３を透して染毛された頭髪の顔を映して染毛色を確認する。この操作を、鏡部２に映された頭髪が、使用者がイメージする所望の色に染毛された頭髪となる迄繰り返す。次に、鏡部２に映された所望の色に染毛された頭髪を決定した後は、その所望の色となる染毛剤を選ぶ。
【００３５】
図３（ａ）に示す色見本３には、着色部３１が、頭髪の染毛したい部分にのみ、具体的には、人体の頭部における首及び顔を除く領域に形成されている。すなわち、頭髪位置と着色部３１を合わせることで、頭髪色に染毛剤の色である着色部３１の色が重なった状態を視覚できるので、染毛剤を適用した後の実際の色のイメージを容易に予測できる。繰り返す際、染毛色確認用鏡１Ａは、色見本３が鏡部２から着脱可能に形成されており、前の色見本３に換えて別の色見本３を２枚の平板３０ａ，３０ｂの間に挿入して使用でき、容易に色だけを変更できる。所望の色となる染毛剤を選ぶことにより、その染毛剤を使用すれば、使用者がイメージした通りの染毛された頭髪となる。このように、染毛色確認用鏡１Ａを使用すれば、使用者がイメージした通りに染める染毛剤を容易にかつ確実に選択することができる。
【００３６】
また、図３（ｂ）に示すメッシュの色見本３を選出した場合、使用者は、図７（ｂ）に示すように、自ら選出した色見本を透して、メッシュにより染められた色だけでなく、メッシュの位置や長さ、太さを確認できる。このように、本発明の染毛色確認用鏡１Ａを使用すれば、使用者がイメージした通りに染毛する位置や染毛剤を容易にかつ確実に選択することができる。また、複数の色見本３の中から複数枚の色見本３を選出し、２枚の平板３０ａ，３０ｂの間に、選出した複数枚の色見本３を重ねて挿入してもよい。例えば、図３（ｂ）に示すメッシュの色見本３と図３（ａ）に示す色見本３とを選出した場合、それらの色見本３を重ね合わせて２枚の平板３０ａ，３０ｂの間に挟持して使用すれば、着色部３１により染毛された頭髪にメッシュを加えた頭髪の顔を映して染毛色を確認できる。
【００３７】
また、染毛色確認用鏡１Ａは、図１に示すように、胸部を映す鏡部５を有し、鏡部２と鏡部５とは第２ヒンジ部４２を介して連結しており、第２ヒンジ部４２を支点に開閉可能になっている。そのため、鏡部２及び鏡部５により二面鏡的な使用ができ、鏡部２に、使用者がイメージする所望の色に染毛された頭髪を映すとともに、鏡部５に、使用者の例えば衣服を映すことができる。このように、染毛色確認用鏡１Ａを使用すれば、使用者がイメージする所望の色に染毛された頭髪を、衣服を加味して総合的に判断することができる。
【００３８】
次に、本発明の第２〜第５実施形態の染毛色確認用鏡について説明する。第２〜第５実施形態の染毛色確認用鏡１Ｂ〜１Ｅについては、第１実施形態の染毛色確認用鏡１Ａと異なる点について主として説明し、同様の点については同一の符号を付して説明を省略する。特に言及しない点については、染毛色確認用鏡１Ａに関する説明が適宜適用される。
【００３９】
第２実施形態の染毛色確認用鏡１Ｂは、図８に示すように、染毛色確認用鏡１Ａに比べて、光源６を更に有している。光源６は染毛色確認用鏡１Ｂの上部にあり、頭部を上から照らすように配置されている。
染毛色確認用鏡１Ｂは、外周縁上に、顔・頭部・胸部を照らす光源６を有している。具体的には、鏡部２のＹ方向の上端部のＸ方向中央部に光源６を有している。光源６は、図８中のＺ方向に回転可能となるように、取り付けられている。詳述すると、鏡部２のＹ方向の上端部のＸ方向中央部に、Ｙ方向に立設する一対の支持部２２を有し、支持部２２の先端部には貫通孔２３が設けられている。光源６は、Ｘ方向の両側部にＸ方向に突設する凸部（不図示）を有している。そして、光源６の該凸部が、支持部２２の貫通孔２３に嵌装されているので、光源６が、図８中のＺ方向に回転可能となっている。
【００４０】
光源６は、使用者の頭髪に直接光を当てるものであり、例えば発光ダイオード（ＬＥＤ）によって構成されている。発光ダイオード（ＬＥＤ）は、使用者の顔が自然な肌色となるような光の波長のものを選択することが好ましい。光源６の電池６１は、染毛色確認用鏡１Ｂにおいては、例えば鏡部５の内部に配されており、光源６の発光は、鏡部５の枠体５１に設けたスイッチ（不図示）により制御されている。
【００４１】
上述した染毛色確認用鏡１Ｂは、染毛色確認用鏡１Ａと同様の効果に加え、使用者に直接光を当てる光源６を有しているので、頭髪と顔色（肌の色）や衣服とのコントラスト効果を奏する。
【００４２】
上述した第２実施形態の染毛色確認用鏡１Ｂは、外周縁に配された光源６が上部にあり、頭部を上から照らすように配置されている。それに対し、第３実施形態の染毛色確認用鏡１Ｃは、図９に示すように、光源６の位置が側部に位置しているので、鏡を通して頭部を映したときに、側面から光が照らされるように配置されている。具体的には、染毛色確認用鏡１Ｃは、図９に示すように、胸部用の鏡部５のＹ方向に沿う両側部それぞれに位置する枠体５１に２個の光源６を有している。光源６は、図９中のＺ方向に回転可能となるように、取り付けられている。詳述すると、鏡部５の側部に位置する枠体５１のＹ方向中央部に凹部（不図示）が設けられている。光源６は、Ｘ方向の側部にＸ方向の染毛色確認用鏡１Ｃ側に突設する凸部（不図示）を有している。そして、光源６の該凸部が、枠体５１の該凹部に嵌装されているので、光源６が、図９中のＺ方向に回転可能となっている。
尚、染毛色確認用鏡の外周縁に配する光源６は、第２実施形態のように染毛色確認用鏡１Ａの上部や、第３実施形態のように側部に配置する以外に、光源６の光が、色見本３を通さない位置、言い換えれば、使用者を直接照らす位置であればよく、保持部３０の根元（たとえば、ヒンジ部４の中央付近）であってもよい。
【００４３】
次に、第４実施形態の染毛色確認用鏡１Ｄについて、図１０を用いて詳述する。
第４実施形態は、染毛色確認用鏡１Ａ同様に色見本３は保持部３０により保持されているが、色見本３を脱着可能にする保持部３０の仕様（形状）が異なっている。
具体的に説明すると、保持部３０は、鏡部２のＹ方向に沿う両側部それぞれに沿って延在する一対のガイド３０ｃ，３０ｃを有している。一対のガイド３０ｃ，３０ｃは、Ｙ方向の長さが鏡部２よりも若干小さく、Ｘ方向に隣り合う一対のガイド３０ｃ，３１どうしの間隔も鏡部２よりも若干小さく形成されている（鏡部２と鏡部５を閉じた時に、染毛色確認用鏡１Ｄの内部に収容できる程度の大きさ）。一対のガイド３０ｃ，３０ｃは、それぞれ、ガイド３０ｃどうしの対向面に、断面コの字型の凹部３２がガイド３０ｃの全長に亘って設けられている。
【００４４】
一対のガイド３０ｃ，３０ｃは、無色透明或いは有色の樹脂板から形成されている。ガイド３０ｃの厚みは、操作性の観点から、０．８ｍｍ以上１．５ｍｍ以下であることが好ましい。
【００４５】
一対のガイド３０ｃ，３０ｃは、鏡部２のＹ方向の下端部におけるＸ方向の両内側部に、第１ヒンジ部４１を介して連結されている。また、一体となって、第１ヒンジ部４１を支点に、鏡部２に重なって閉じると共に、鏡部２から所望の角度で開くことができるようになっている。
【００４６】
染毛色確認用鏡１Ｄにおいて、色見本３は、Ｙ方向に長い矩形状を有している。そして、色見本３が一対のガイド３０ｃ，３０ｃそれぞれの凹部３２に沿って挿入され、色見本３のＹ方向に沿う両側部が凹部３２によって挟持されており、色見本３が一対のガイド３０ｃ，３０ｃにより保持される。その他、前記ガイドに挿入される点を除き、色見本３の材質、大きさ、製造方法等は、染毛色確認用鏡１Ａと同様である。
【００４７】
以上のように構成されているので、染毛色確認用鏡１Ｄにおいては、一対のガイド３０ｃ，３０ｃを、第１ヒンジ部４１を支点に、鏡部２から所望の角度で開き、一対のガイド３０ｃ，３０ｃの間に、色見本３を挿入して、一対のガイド３０ｃ，３０ｃの間に色見本３を挟持して使用することができる。また、異なる色の着色部３１を有する色見本３を試す場合には、一対のガイド３０ｃ，３０ｃの間から、前の色見本３を抜き出した後、一対のガイド３０ｃ，３０ｃの間に、別の色見本３を挿入して、一対のガイド３０ｃ，３０ｃの間に別の色見本３を挟持して使用することができる。このように、染毛色確認用鏡１Ｄは、色見本３が、鏡部２から着脱可能に形成されている。
【００４８】
上述した染毛色確認用鏡１Ｄは、染毛色確認用鏡１Ａと同様の効果を有する。
【００４９】
次に、第５実施形態の染毛色確認用鏡１Ｅについて、図１１により詳述する。
染毛色確認用鏡１Ｅは染毛色確認用鏡１Ａに比べて、保持部３０を有しておらず、色見本３が保持部３０の役割も兼ねており、色見本３を鏡部２から脱着可能にする仕様が異なっている。染毛色確認用鏡１Ｅは、色見本３と鏡部２とは、ヒンジ部４を介して連結しており、ヒンジ部４を支点に開閉可能に形成されている。
【００５０】
色見本３は、鏡部２よりも若干小さい、Ｙ方向に長い矩形状を有している。色見本３は、樹脂製板から形成されている。該板の厚みは、色見本３が保持部３０の役割も兼ねている観点から、０．５ｍｍ以上１ｍｍ以下であることが好ましい。また、染毛色確認用鏡１Ａと同様に、上述した２色成形法を用いて形成することができる。
【００５１】
色見本３は、鏡部２のＹ方向の下端部におけるＸ方向の両内側部に、第３ヒンジ部４３を介して連結されている。第３ヒンジ部４３は、鏡部２の下端部におけるＸ方向の両内側部それぞれに、前側に開口する軸受け部４３１となる凹部を有している。また、第３ヒンジ部４３は、色見本３のＹ方向の下端部におけるＸ方向の両外側部にＸ方向に突設する回転軸部４３２を有している。そして、色見本３の回転軸部４３２を鏡部２の軸受け部４３１に嵌合させることにより、色見本３が、第３ヒンジ部４３を支点に、鏡部２に重なって閉じると共に、鏡部２から所望の角度で開くことができるようになっている。
【００５２】
以上のように構成されているので、染毛色確認用鏡１Ｅにおいては、選出した１個の色見本３の回転軸部４３２を鏡部２の軸受け部４３１に嵌合させることにより、色見本３を装着して使用することができる。また、異なる色の着色部３１を有する色見本３を試す場合には、色見本３の回転軸部４３２を、鏡部２の軸受け部４３１の開口の位置に配して、色見本３を引っ張ることにより、色見本３を鏡部２から取り外せ、取り外した後、別の色見本３を、その回転軸部４３２を鏡部２の軸受け部４３１に嵌合させることにより、色見本３を装着して使用することができる。このように、染毛色確認用鏡１Ｅは、色見本３が、鏡部２から着脱可能に形成されている。
【００５３】
染毛色確認用鏡１Ｅの効果は、染毛色確認用鏡１Ａと同様の効果を有することに加え、色見本３が保持部の機能を有するので、簡易構造となり、更に薄く、更に軽くなり、より携帯し易く、また取り付け等の操作が簡便である。
【００５４】
本発明の染毛色確認用鏡は、上述の第１〜第５実施形態の染毛色確認用鏡１Ａ〜１Ｅに何ら制限されるものではなく、適宜変更可能である。また、上述の第１〜第５実施形態の染毛色確認用鏡１Ａ〜１Ｅにおける各構成要件は、本発明の趣旨を損なわない範囲で、適宜組み合わせて実施できる。
【００５５】
例えば、上述の第１〜第５実施形態の染毛色確認用鏡１Ａ〜１Ｅにおいては、図２、図８図９、図１０又は図１１に示すように、色見本３はヒンジ部４を支点に開閉可能に形成されているが、色見本３が鏡部２から脱着可能であれば、ヒンジ部４を支点に開閉可能に形成されていなくてもよい。
【符号の説明】
【００５６】
１Ａ，１Ｂ，１Ｃ，１Ｄ，１Ｅ  染毛色確認用鏡
２  鏡部
２１  摘み部
２２  支持部
２３  貫通孔
３  色見本
３０  保持部
３０ａ，３０ｂ  平板
３０ｃ  ガイド
３１  着色部
３２  凹部
４  ヒンジ部
４１  第１ヒンジ部
４２  第２ヒンジ部
４３  第３ヒンジ部
４３１  軸受け部
４３２  回転軸部
５  胸部用の鏡部（第２鏡部）
５１  枠体
５２  凹部
６  光源
６１  電池
【図１】
2014113196.tif 000003
【図２】
2014113196.tif 000004
【図３】
2014113196.tif 000005
【図４】
2014113196.tif 000006
【図５】
2014113196.tif 000007
【図６】
2014113196.tif 000008
【図７】
2014113196.tif 000009
【図８】
2014113196.tif 000010
【図９】
2014113196.tif 000011
【図１０】
2014113196.tif 000012
【図１１】
2014113196.tif 000013